(57)【要約】【課題】贈呈者が、通信回線を利用して、所要品種の、所要量の生花を、確実に贈呈日に贈呈者から受領者に受け渡し出来るようにすること。【解決手段】贈呈者がインターネット回線を用いて、生産管理者の受注テーブルの、少なくとも花の品種と贈呈日の発注要件を選択する、生産管理者は、通信回線を用いて、精算生産者に、前記花の品種と贈呈日の情報を伝えて花の育成を発注する、育成発注を受けた生産者は、所定の品種の花を所定の贈呈日までに育成し、贈呈者に出荷する。【選択図】      図１
2007048244.tif 000002
【特許請求の範囲】
【請求項１】
花の注文生産システムであって、
贈呈者がインターネット回線を用いて、生産管理者の受注テーブルの、少なくとも花の品種と贈呈日の発注要件を選択する、
生産管理者は、通信回線を用いて、精算生産者に、前記花の品種と贈呈日の情報を伝えて花の育成を発注する、
育成発注を受けた生産者は、所定の品種の花を所定の贈呈日までに育成し、贈呈者に出荷する、
ことを特徴とする花の注文生産システム。
【請求項２】
前記受注テーブルは、更に、贈呈者が選択するための所定の品種の花の画像と、所要育成期間を含むことを特徴とする請求項１の花の注文生産システム。
【請求項３】
前記生産者において、花の育成状況を撮影するカメラが設けられ、生産管理者は必要に応じて撮影写真を入手し、アルバムを作成して花の贈呈時に贈呈者に提供することを特徴とする請求項１又は請求項２の花の注文生産システム。
【請求項４】
前記受注テーブルは、更に、贈呈者が選択するための花の包装形態を示す画像を含むことを特徴とする請求項１乃至請求項３の何れか１項の花の注文生産システム。
【発明の詳細な説明】
【技術分野】
【０００１】  本発明は、冠婚葬祭、各種の記念日等に贈呈する生花の注文生産方式にかかわるビジネスモデル特許としての注文生産システムに関する。
【技術背景】
【０００２】  従来においては、生花の贈呈は、生産された生花、例えば、贈呈としてポピュラーなユリ科の花（例えば、カサブランカ）が生産者の農園において採取され、花店に出荷されて店頭に並べられたものを買い求め、所要の華麗な包装を施して相手に手渡すという方式が一般的であった。
【０００３】  こうした購買者に鮮度の高い植物を提供するという観点からみると、かかる問題は、生花の栽培だけの問題ではなく、生鮮野菜の栽培、供給においても問題となるもので、こうした問題を解決する一つの方法として、管理生産方式を導入することが行われている。
【０００４】  こうした問題解決の従来技術としては、次のものが挙げられる。
【特許文献１】特開２００２−１７０００７。生鮮農産物のオーダーシステム。
【発明の開示】
【発明が解決しようとする課題】
【０００５】  こうした従来方式にあっては、次の問題がある。
▲１▼  店頭に所要の花（品種）が、所要量、常時備えられているかどうか分からない。
▲２▼  事前に分かっている各種の記念日（例えば、母の日、結婚記念日等）を予定して、予め店に予約を申し入れても、農園の生産計画に入っていなければ入手不能であり、また、贈呈者は、各種の花の育成期間についての知識がなく、事前申し込みの日が適切でないことが多い。例えば、上述のカサブランカ等では、育成に２ヶ月前後を要する。【０００６】▲３▼  店頭の花は、早ければ採取された日に入手可能であるが、贈呈者にとっては店頭到着日が定かでなく、生花の寿命としては採取から１週間程度が限度であるので、店頭購入の場合、購入時の鮮度が十分に生かされ、長期に渡る生花を楽しむことが出来難い。
▲４▼  花の贈呈は、単に買い求めてきた生花を手渡すことは、一般に行われている祝福の行為であり、受ける側にとって嬉しいことに相違ないが、記念日等であればあるほど、単なる生花贈呈は、贈る側の誠意を伝える方法としては、いま一つ物足りないものがあった。【０００７】  本発明は、かかる問題点に鑑み、贈呈者が、通信回線を利用して、所要品種の、所要量の生花を、確実に贈呈日に贈呈者から受領者に受け渡し出来るようにすることを目的とする。
【課題を解決するための手段】
【０００８】  本発明案にかかる花の注文生産システムは、かかる課題を解決するために、花の注文生産システムであって、
贈呈者がインターネット回線を用いて、生産管理者の受注テーブルの、少なくとも花の品種と贈呈日の発注要件を選択する、
生産管理者は、通信回線を用いて、精算生産者に、前記花の品種と贈呈日の情報を伝えて花の育成を発注する、
育成発注を受けた生産者は、所定の品種の花を所定の贈呈日までに育成し、贈呈者に出荷する、
ことを特徴とする。【０００９】  これによって、贈呈者は、インターネット回線を用いて、在宅で、贈呈する花の品種を特定し、贈呈日に合わせて、その納期を指定することができる。
生産管理者は、贈呈者の所定の情報を生産者に通信回線を用いて伝達し、生産を発注するので、通常、特定品種栽培が行われている各地（他府県）に、発注ができる。
生産者は、生産管理者からの情報に基づいて、播種、育成を計画的に行い得るので、能率的な栽培が可能となり、栽培コストを低減でき、余裕をもって栽培作業が行い得るので、労力も軽減される。【００１０】  本発明において、前記受注テーブルは、更に、贈呈者が選択するための所定の品種の花の画像と、所要育成期間を含むことが好ましい。
このように、予め、画像によって花の品種を特定、選択できるので、選択の可能性が広がるとともに、品種名だけの指定では、記憶上のイメージとの食い違い、或いは誤認が生じるが、こうした問題は解消される。【００１１】  本発明において、前記生産者において、花の育成状況を撮影するカメラが設けられ、生産管理者は必要に応じて撮影写真を入手し、アルバムを作成して花の贈呈時に贈呈者に提供することが好ましい。
このように、カメラによって、花の育成状況が段階的に把握でき、これをアルバムに納めることで、その特定花を贈呈するに当たって、誠意をもって臨んできたことが受領者に十分に伝えることが出来る。【００１２】  更に、本発明において、前記受注テーブルは、更に、贈呈者が選択するための花の包装形態を示す画像を含むことが好ましい。
このように、採取された生花を贈呈するに、実際の形態を事前に指定し、把握できることは、最終的な贈呈のイメージが確実なものとして認識できて、贈呈者において納得できる形態が採れる。
【発明の効果】
【００１３】  本発明によれば、贈呈者が、在宅で、インターネット通信回線を利用して、所要品種の、所要量の生花を、確実に贈呈日に贈呈者から受領者に受け渡し出来るように、発注することが出来、受領者は確実にその贈呈日に所定の品種の花を受け取ることが出来るという利点がある。
【発明を実施するための最良の形態】
【００１４】  図１に基づいて、本発明の好適実施例について説明すると、贈呈者１は、自らのＰＣ（パソコン）を用いて、インターネット回線４により、生産管理者２のホームページにアクセスする。この生産管理者２のホームページアドレスは、別途の手段、例えば、新聞、雑誌、チラシ広告等の媒体を用いて、贈呈顧客見込み者に伝達される。勿論、インターネットとして、所要のキーワードによって、アクセス可能である。【００１５】  前記生産管理者２のホームページ５には、受注テーブル１、受注テーブル２、受注テーブル３が用意されている。
受注テーブル１には、花の品種指定Ｓ１・・・と、指定本数Ｎ１・・・、贈呈の指定日Ｄ（納期）（年月日時間）が設けられている。【００１６】  贈呈者１は、その花の品種について、所定の記号Ｓ１、Ｓ２・・・から、所要の品種、ここでは、Ｓ１としてユリ科のカサブランカを選択すると共に所要本数Ｎ１・・・についても、その記号Ｎ１、Ｎ２・・・から選択する。また、贈呈指定日Ｄ（納期）については、その日時を指定する。例えば、０５．１２．２５．１７：００。勿論、受領者１０の住所、氏名、受領指定場所については、当然ながら別途指定する。【００１７】  更に、テーブル２には、各種花の品種の画像Ｉｍａｇｅ−１，Ｉｍａｇｅ−２，Ｉｍａｇｅ−３，Ｉｍａｇｅ−４が掲載されており、贈呈者１は、実際の花の画像を見ながら、その中から所要の品種の花を選択することが出来る。
これあらの画像Ｉｍａｇｅ−１・・・には、花の名前と所要の育成期間が表示されており、このテーブル２によって、贈呈者の目的に応じた花の選択と、贈呈予定日に選択した花が育成可能かどうかの判断ができる。【００１８】  そして、テーブル３には、贈呈に際して用いられる包装形態Ｒ１・・・について、複数のサンプル画像が掲載されており、その中から、所要の包装形態Ｒ１・・・を選択して指定することが出来る。この形態としては、りぼん、包装ペーパー（色調、柄等）、花瓶が選択される。更に、テーブル３には、メッセージカード８への伝言を記載するための項目が設けられており、所要の文言を記載して生産管理者２に編集を依頼するようにされている。
このメッセージ及び前記包装形態Ｒ１・・・については、発注と同時でなくとも良く、後日に追加して発注指示することが出来るようにされている。【００１９】  このホームページは、発注を受ける為のものであるから、当然に代金決済方法についての項目を備えているが、ここでは、本発明の本旨から外れるので、詳細説明を省く。【００２０】  上述した受注テーブル１、２、３により得られて情報をもとにして、生産管理者２は、生産者３に対して、通信回線を介して、花の育成を発注することになる。この通信回線は、同様のＰＣによる通信回線を用いる。しかし、必要に応じて、図面に破線囲いで例示したように、ＦＡＸ回線６を代用しても差し支えなく、上述した所要の発注情報を伝達できればよい。【００２１】  生産管理者２から育成情報を受けた生産者は、自らの農園において、所要品種の花の播種、育成を始める。この場合、贈呈日（納期）が予め伝達されているので、此れに合わせて播種日時を決定でき、また、育成状態が予定通りでない場合には、例えば、ハウスにおける日照時間（照明時間）を調整し、或いは肥料等の育成条件を調節して、贈呈日に合わせた採取が可能になるように対処する。【００２２】  生産者３の農園のハウスには、花の育成を撮影するカメラ９が設備されており、所定の期間毎に、花の育成状態を撮影し、写真を現像して、これをアルバム作成に用いる。前記カメラ９として、デジタルカメラを用いる場合には、その撮影画像データを、ＰＣ回線を用いて生産管理者２に送信し、ここで画像をプリントするようにしてもよい（或いは、これに代えてＤＶＤとする）。【００２３】  育成経過を撮影した写真は、生産管理者２において編集され、記念のアルバム７が作成される。勿論、ここには、花の育成写真のみならず、他の写真等を盛り込むことが出来る。また、贈呈者１の指定による別途メッセージカード８が作成され、アルバム７の最初のページに挿入される。【００２４】  生産者３は、所定の品種の花（カサブランカ）を、所定の本数だけ栽培し、所定の期日に、所定の包装形態Ｒ１を採って贈呈者１に向けて出荷する。勿論、栽培過程における歩留まりを考慮した本数の生産が行われる。【００２５】  この実施例では、生花を刈り採り、包装する出荷について説明しているが、鉢植えが可能な品種については、鉢植えのまま出荷することもあり得る。
また、こうした注文生産方式に適合し、贈呈に向いた他の生花としては、次のものが挙げられる。
Ｓ２・・・ソルボンヌ、イエローウイン
Ｓ３・・・胡蝶蘭
Ｓ４・・・バラ
Ｓ５・・・葡萄
Ｓ６・・・メロン
しかし、ここに掲げるもの以外であっても、また、新たに品種改良された花であっても、本発明の花の概念に含まれるものである。
【産業上の利用分野】
【００２６】  本発明は、冠婚、或いは各種の記念日のように、贈呈日時が予め定まっている場合に好適であり、採取したばかりの鮮度の高い生花を確実に贈呈することが可能であるので、その適用範囲は広い。
【図面の簡単な説明】
【００２７】
【図１】本発明の概念を示すフローチャートである。
【図２】本発明の受注テーブル１を示す表である。
【図３】本発明の受注テーブル２を示す表である。
【図４】本発明の受注テーブル３を示す表である。
【符号の説明】
【００２８】１：贈呈者
２：生産管理者
３：生産者
４：インターネット回線
５：ホームページ
６：ＦＡＸ
７：アルバム
８：メッセージカード
９：カメラ
１０：受領者
Ｉｍａｇｅ：画像
Ｎ１：本数
Ｐ１：写真
Ｌ１：包装形態
【図１】
2007048244.tif 000003
【図２】
2007048244.tif 000004
【図３】
2007048244.tif 000005
【図４】
2007048244.tif 000006